(57)【要約】      （修正有）【課題】玩具を構成する意図的にデザインされたブロックと、種々のボトルキャップ（蓋部材）とを組立／解体して遊べる玩具であって、全体としてバランスがとれた玩具を提供する。【解決手段】玩具１０は、組立／解体可能な複数のブロック１５を備え、複数のブロック１５が、前後に転倒した円筒から構成される胴部２０と、胴部２０の外周下方に取り付けられた両足部３０と、胴部２０の外周側方上部に取り付けられた両手部４０と、を含み、胴部２０が、円筒の内側に蓋部材Ｃを嵌合可能なように形成されていることを特徴とする。【選択図】図６
0003201701.tif 000002
【実用新案登録請求の範囲】
【請求項１】
玩具であって、
組立／解体可能な複数のブロックを備え、
前記複数のブロックが、
前後に転倒した円筒から構成される胴部と、
前記胴部の外周下方に取り付けられた両足部と、
前記胴部の外周側方上部に取り付けられた両手部と、を含み、
前記胴部が、前記円筒の内側に蓋部材を嵌合可能なように形成されていることを特徴とする玩具。
【請求項２】
さらに、前記複数のブロックが前記胴部の外周上方に取り付けられた頭部を含むことを特徴とする請求項１に記載の玩具。
【請求項３】
前記円筒が、
外周下方に前記両足部を取り付けるための両足支持部を有する第１の円筒と、
前記第１の円筒よりも後方に位置し、外周側方上部に前記両手部を取り付けるための両手支持部を有する第２の円筒と、を含むことを特徴とする請求項１に記載の玩具。
【請求項４】
前記円筒が、
外周下方に前記両足部を取り付けるための両足支持部を有する第１の円筒と、
前記第１の円筒よりも後方に位置し、外周側方上部に前記両手部を取り付けるための両手支持部を有する第２の円筒と、
前記第２の円筒よりも後方に位置し、外周上方に前記頭部を取り付けるための頭支持部を有する第３の円筒と、を含むことを特徴とする請求項２に記載の玩具。
【請求項５】
前記頭部、前記両手部及び前記両足部がロボット様の形状を有することを特徴とする請求項２に記載の玩具。
【考案の詳細な説明】
【技術分野】
【０００１】
本考案は、玩具、特に、ボトルキャップを組込み可能な玩具に関する。
【背景技術】
【０００２】
従来、ペットボトルのボトルキャップについては、その回収が徹底されずに街中などに散乱したりするという問題があった。このため、開栓してもボトルから脱落しないように、ペットボトルの飲み口とつながるようになっているボトルキャップや、開栓した後の利用として、ボトルキャップを螺合できるようにしたアクセサリーホルダーやストラップなどが知られている。
【０００３】
後者の例としては、内側に雌ねじ部が形成されているボトルキャップ（蓋部材）を螺合する雄ねじ部が外周面に形成されたホルダー部と、ホルダー部の一部に設けられた接続部材取付部と、足部とを有し、足部によって立った状態で保持される人形様の蓋部材装着玩具が提案されている（例えば、特許文献１）。
【０００４】
しかしながら、上記のボトルキャップを利用した玩具は、ペットボトルの飲み口と同様に雄ねじが形成されたホルダー部にボトルキャップを螺合するものであり、ボトルキャップを取り付けたり取り外したりする手順がペットボトルに対するものと同じである。したがって、子供たちにとって、いろいろなボトルキャップを交換しながら玩具とボトルキャップを組み合わせて遊ぶには、玩具として面白みに欠けるものであった。また、頭部（顔部）にボトルキャップを当てはめるため、全体のバランスが必ずしもいいというものではなかった。
【先行技術文献】
【特許文献】
【０００５】
【特許文献１】特開２０１０−２４０２１２号公報
【考案の概要】
【考案が解決しようとする課題】
【０００６】
本考案は、このような事情に鑑み、玩具を構成する意図的にデザインされたブロックと、種々のボトルキャップ（蓋部材）とを組立／解体して遊べる玩具であって、全体としてバランスがとれた玩具を提供することを目的とする。
【課題を解決するための手段】
【０００７】
本考案は、以下の構成によって把握される。
（１）本考案に係る第１の観点は、玩具であって、組立／解体可能な複数のブロックを備え、前記複数のブロックが、前後に転倒した円筒から構成される胴部と、前記胴部の外周下方に取り付けられた両足部と、前記胴部の外周側方上部に取り付けられた両手部と、を含み、前記胴部が、前記円筒の内側に蓋部材を嵌合可能なように形成されていることを特徴とする。
【０００８】
（２）上記（１）の構成において、さらに、前記複数のブロックは、前記胴部の外周上方に取り付けられた頭部を含んでもよい。
【０００９】
（３）上記（１）の構成において、前記円筒は、外周下方に前記両足部を取り付けるための両足支持部を有する第１の円筒と、前記第１の円筒よりも後方に位置し、外周側方上部に前記両手部を取り付けるための両手支持部を有する第２の円筒と、を含んでもよい。
【００１０】
（４）上記（２）の構成において、前記円筒は、外周下方に前記両足部を取り付けるための両足支持部を有する第１の円筒と、前記第１の円筒よりも後方に位置し、外周側方上部に前記両手部を取り付けるための両手支持部を有する第２の円筒と、前記第２の円筒よりも後方に位置し、外周上方に前記頭部を取り付けるための頭支持部を有する第３の円筒と、を含んでもよい。
【００１１】
（５）上記（２）の構成において、前記頭部、前記両手部及び前記両足部は、ロボット様の形状を有してもよい。
【考案の効果】
【００１２】
本考案によれば、玩具を構成する意図的にデザインされたブロックと、種々のボトルキャップ（蓋部材）とを組立／解体して遊べる玩具であって、全体としてバランスがとれた玩具を提供することができる。
【図面の簡単な説明】
【００１３】
【図１】本考案の第１実施形態に係る玩具を示す斜視図である。
【図２】本考案の第１実施形態に係る玩具を示す図であって、（ａ）は正面図、（ｂ）は背面図である。
【図３】本考案の第１実施形態に係る玩具を示す左側面図である。
【図４】本考案の第１実施形態に係る玩具を示す図であって、（ａ）は平面図、（ｂ）は底面図である。
【図５】本考案の第１実施形態に係る玩具を示す分解図である。
【図６】本考案の第１実施形態に係る玩具と蓋部材との関係を示す図である。
【図７】本考案の第２実施形態に係る玩具と蓋部材との関係を示す図である。
【考案を実施するための形態】
【００１４】
以下、本考案を実施するための形態（以下、「実施形態」という）を、添付図面に基づいて詳細に説明する。なお、実施形態の説明の全体を通して同じ要素には同じ番号を付している。
【００１５】
（第１実施形態）
第１実施形態の玩具１０の外観は、図１に示す斜視図、図２（ａ）に示す正面図、図２（ｂ）に示す背面図、図３に示す左側面図（対称に表れるため、右側面図は省略）、図４（ａ）に示す平面図、図４（ｂ）に示す底面図のとおりである。図１を参照すると、玩具１０は、組立／解体可能な複数のブロック１５を備えており、複数のブロック１５は、胴部２０を中心として、その下方には両足部３０、左右には両手部４０、上方には頭部５０が設けられている。
【００１６】
ここで、胴部２０は、前後に転倒した円筒２００から構成されており、この円筒２００の内側の中空部にペットボトルのボトルキャップ（蓋部材）Ｃを嵌合可能なように形成されている。胴部２０の外周下方には両足部３０が、胴部２０の外周側方上部には両手部４０が、胴部２０の外周上方には頭部５０が、それぞれの支持部を介して取り付けられているが、胴部２０の構成、並びに各部の取り付け方については、後述する。
【００１７】
まず、各部の外観を説明する。第１実施形態に係る玩具１０は、各図に示すように、ロボット様のものとして構成されている。そして、ここでは、次のようにデザイン化されている。まず、図１及び図２に示すように、わが国の戦国時代を模した甲冑様のものを装着したロボットという想定の下、頭部５０には、しころ５１が付いた兜５２を被り、顔面には頬当て５３を装着したスタイルとなっている。両手部４０のうち腕から手にかけては甲側にプロテクター４１が装着されている。手の指や両足部３０の形状はロボットらしい態様に造形されている。
【００１８】
次に図５を用いて、胴部２０の構成、並びに各部の取り付け方について説明する。胴部２０を構成する円筒２００は、図５に示すように、３つの円筒に分割可能であって、前方から後方にかけて、第１の円筒２０１、第２の円筒２０２、第３の円筒２０３を含んでいる。これらの第１の円筒２０１には両足部３０が、第２の円筒２０２には両手部４０が、第３の円筒２０３には頭部５０が取り付けられるようになっている。
【００１９】
まず、第１の円筒２０１の外周下方には、両足部３０を支持する両足支持部３００が設けられている。両足支持部３００は、中央に位置する基部３０１と、基部３０１から左右に延在する軸部３０２を有している。両足部３０は、両足支持部３００の軸部３０２を両足部３０にある軸穴３０３に挿入することにより軸支される。
【００２０】
次に、第２の円筒２０２の側方上部には、両手部４０を支持する両手支持部４００が左右に設けられている。左右の両手支持部４００は、第２の円筒２０２からつながる基部４０１と、基部４０１から延在する軸部４０２を有している。両手部４０は、両手支持部４００の軸部４０２を両手部４０にある軸穴４０３に挿入することにより軸支される。
【００２１】
最後に、第３の円筒２０３の上方には、頭部５０を支持する頭支持部５００が設けられている。頭支持部５００は、第３の円筒２０３からつながる基部５０１と、基部５０１から上方に延在する軸部５０２を有している。頭部５０は、頭支持部５００の軸部５０２を頭部５０にある軸穴５０３に挿入することにより軸支される。なお、頭部５０は、顔面側５０ａと後頭部側５０ｂに分割することが可能である。
【００２２】
以上、胴部２０の構成及び胴部２０への各部の取り付けについて説明したが、もちろん、これらは一例を示したものにすぎない。このほかにも、円筒２００を１つで構成し、１つの円筒２００に両足支持部３００、両手支持部４００、頭支持部５００を設けてもよいし、両足支持部３００、両手支持部４００、頭支持部５００を前方から後方にかけてこの順ではなく別の順によってもよい。
【００２３】
ところで、第１の円筒２０１、第２の円筒２０２、第３の円筒２０３は、その内周に、内側に向かって凸である、環状の第１のリブ２０１ａ、第２のリブ２０２ａ、第３のリブ２０３ａをそれぞれ有している。これらのリブは、各円筒の強度を高めるほか、胴部２０にペットボトルのボトルキャップＣを嵌合したときの把持力を確保するためのものである。現在、ペットボトルのボトルキャップＣのサイズは規格化されていないが、業界の任意規格として直径２８ｍｍが一般的に採用されていることを考慮し、第１のリブ２０１ａ、第２のリブ２０２ａ、第３のリブ２０３ａの内径は、概ね直径２８ｍｍに設定されている。
【００２４】
以上のような玩具１０に対し、胴部２０、つまり第１の円筒２０１、第２の円筒２０２、第３の円筒２０３から構成される円筒２００の中空部に、図６に示すように、ペットボトルのボトルキャップＣを嵌合する。
【００２５】
（第２実施形態）
図７を参照して、第２実施形態について、説明する。第２実施形態は、図７に示すように、第１実施形態とは異なり、頭部５０を省略したものである。胴部２０と両足部３０、両手部４０の取り付け方は概ね同様であるが、第１実施形態がロボット様のハードな印象の造形としたのに対し、第２実施形態では、両足部３０、両手部４０ともにソフトな印象の造形としている点で相違する。
【００２６】
ここで、第２実施形態では頭部５０を省略したと述べたが、頭部５０が胴部２０と渾然一体化したと捉えてもよい。このように捉えると、胴部５０と渾然一体化した頭部５０に両足部３０と両手部４０が取り付けられることとなり、両足部３０や両手部４０の造形と相まって、ロボット様の第１実施形態とは異なる面白みを子供たちはじめ玩具１０の利用者に与えることができる。
【００２７】
（実施形態の効果）
第１及び第２実施形態で述べたように、玩具１０は、複数のブロック１５をボトルキャップＣとともに組立／解体する機能を備えており、この組立／解体が遊びに通じることになる。もちろん、各ブロック１５の形状などは、上記において示したものに限らず、種々の変形が可能であり、例えば、図５に示した各ブロック１５において、少なくとも１つの部位を、別の形状、デザイン、色彩などのものに交換するようにしてもよい。このようにすると、他の態様のロボット様のほか、動物や乗り物を模した態様に変化（変身）するなどして、遊びを通じて、最初とは違う外観形状の発見につながり、面白みが一層増すことになる。もちろん、玩具の一部位を構成するボトルキャップＣを様々に取り替えることによっても、同様のことがいえる。
【００２８】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００２９】
１０…玩具、１５…ブロック、２０…胴部、２００…円筒、２０１…第１の円筒、２０１ａ…第１のリブ、２０２…第２の円筒、２０２ａ…第２のリブ、２０３…第３の円筒、２０３ａ…第３のリブ、３０…両足部、３００…両足支持部、３０１…基部、３０２…軸部、３０３…軸穴、４０…両手部、４１…プロテクター、４００…両手支持部、４０１…基部、４０２…軸部、４０３…軸穴、５０…頭部、５０ａ…顔面側、５０ｂ…後頭部側、５１…しころ、５２…兜、５３…頬当て、５００…頭支持部、５０１…基部、５０２…軸部、５０３…軸穴、Ｃ…ボトルキャップ（蓋部材）
【図１】
0003201701.tif 000003
【図２】
0003201701.tif 000004
【図３】
0003201701.tif 000005
【図４】
0003201701.tif 000006
【図５】
0003201701.tif 000007
【図６】
0003201701.tif 000008
【図７】
0003201701.tif 000009